(57)【要約】【課題】プラズマディスプレイパネルの駆動装置の製造工程を簡単にし、キャパシターとインダクタの個数を減らし電力回収を効率的にする。【解決手段】維持放電部３２２，３２４は第１電圧と第２電圧の間に直列に連結されて接続点が前記パネルキャパシターの一端に連結される第１及び第２スイッチング素子と、前記第１電圧と前記第２電圧の間に直列に連結されて接続点が前記パネルキャパシターの他端に連結される第３及び第４スイッチング素子を含み、前記パネルキャパシターの一端または他端の電圧を前記第１電圧または前記第２電圧に維持する。充放電部３２６は前記第１及び第２スイッチング素子の接続点と前記第３及び第４スイッチング素子の接続点に各々第１及び第２経路を通じて連結されるインダクタと、前記インダクタの他端と前記第２電圧の間に第３及び第４経路を通じて連結される外部キャパシターを含む。【選択図】　　　図２
2004021261.tif 000002
【特許請求の範囲】
【請求項１】
互いに対をなして配列された複数の走査電極と共通電極を含み、前記走査電極と前記共通電極の間にパネルキャパシターが形成されているプラズマディスプレイパネルの駆動装置において、
第１電圧と第２電圧の間に直列に連結され、接続点が前記パネルキャパシターの一端に連結される第１及び第２スイッチング素子と、前記第１電圧と前記第２電圧の間に直列に連結され、接続点が前記パネルキャパシターの他端に連結される第３及び第４スイッチング素子を含み、前記パネルキャパシターの一端及び他端の電圧を前記第１電圧または前記第２電圧に維持する維持放電部と、
前記第１及び第２スイッチング素子の接続点と前記第３及び第４スイッチング素子の接続点に各々第１及び第２経路を通じて連結されるインダクタと、前記インダクタの他端と前記第２電圧の間に第３及び第４経路を通じて連結される外部キャパシターを含み、前記パネルキャパシターの一端及び他端の電圧を前記第１電圧まで充電したり前記第２電圧まで放電する充放電部と、
を含むことを特徴とするプラズマディスプレイパネルの駆動装置。
【請求項２】
前記第１及び第２経路を通じて前記パネルキャパシターと前記インダクタの間に各々連結されて前記パネルキャパシターに流れる電流の経路を前記第１または第２経路の中で選択する第５及び第６スイッチング素子をさらに含むことを特徴とする請求項１に記載のプラズマディスプレイパネルの駆動装置。
【請求項３】
前記第３経路に存在して前記パネルキャパシターに供給される電流経路を設定する第５スイッチング素子と第１ダイオードと、
前記第４経路に存在して前記パネルキャパシターから回収される電流経路を設定する第６スイッチング素子と第２ダイオードと、
をさらに含むことを特徴とする請求項１に記載のプラズマディスプレイパネルの駆動装置。
【請求項４】
前記第１乃至第６スイッチング素子はボディーダイオードを有することを特徴とする請求項２に記載のプラズマディスプレイパネルの駆動装置。
【請求項５】
両端に第１及び第２電圧が交互に印加されるパネルキャパシター、前記第１電圧と前記第２電圧の差の半分に相当する電圧が両端間に印加される外部キャパシター、そして前記外部キャパシターに電気的に連結されたインダクタを有するプラズマディスプレイパネルの駆動方法において、
前記インダクタが前記パネルキャパシターの一端に第１経路を通じて電気的に連結されて発生する共振を利用して前記パネルキャパシターの一端の電圧を前記第１電圧まで充電させる第１段階と、
前記インダクタが前記パネルキャパシターの一端に前記第１経路を通じて電気的に連結されて発生する共振を利用して前記パネルキャパシターの一端の電圧を前記第２電圧まで放電させる第２段階と、
前記インダクタが前記パネルキャパシターの他端に第２経路を通じて電気的に連結されて発生する共振を利用して前記パネルキャパシターの他端の電圧を前記第１電圧まで充電させる第３段階と、
前記インダクタが前記パネルキャパシターの他端に前記第２経路を通じて電気的に連結されて発生する共振を利用して前記パネルキャパシター他端の電圧を前記第２電圧まで放電させる第４段階と、
を有することを特徴とするプラズマディスプレイパネルの駆動方法。
【請求項６】
前記第１及び第３段階は、前記第１電圧と前記第２電圧の間に直列に連結され、接続点が前記パネルキャパシターの一端に連結される第１及び第２スイッチング素子と、前記第１電圧と前記第２電圧の間に直列に連結され、接続点が前記パネルキャパシターの他端に連結される第３及び第４スイッチング素子を使用し、前記パネルキャパシターの一端または他端の電圧を前記第１電圧に維持する段階をさらに含むことを特徴とする請求項５に記載のプラズマディスプレイパネルの駆動方法。
【請求項７】
前記第１乃至第４スイッチング素子はボディーダイオードを有することを特徴とする請求項６に記載のプラズマディスプレイパネルの駆動方法。
【請求項８】
前記第１及び第２経路上に各々連結される第１及び第２スイッチング素子を使用して、前記パネルキャパシターに流れる電流の経路を前記第１及び第２経路の中で選択することを特徴とする請求項５に記載のプラズマディスプレイパネルの駆動方法。
【請求項９】
前記第１及び第２スイッチング素子はボディーダイオードを有することを特徴とする請求項８に記載のプラズマディスプレイパネルの駆動方法。
【請求項１０】
第１電極、第２電極、そして前記第１及び第２電極の間に形成されたパネルキャパシターを含むプラズマディスプレイパネルを駆動する装置において、
インダクタと、
第１電圧を供給する電源線から前記インダクタを経て前記第１電極に連結されて、前記第２電極の電圧が第２電圧に維持されている間に前記パネルキャパシターと前記インダクタの間に共振を発生させて前記第１電極の電圧を第３電圧に変更する第１電流経路と、
前記第１電極から前記インダクタを経て、前記電源線に連結されて、前記第２電極の電圧が前記第２電圧に維持されている間に前記パネルキャパシターと前記インダクタの間に共振を発生させて前記第１電極の電圧を前記第２電圧に変更する第２電流経路と、
前記電源線から前記インダクタを経て前記第２電極に連結されて、前記第１電極の電圧が前記第２電圧に維持されている間に前記パネルキャパシターと前記インダクタの間に共振を発生させ前記第２電極の電圧を前記第３電圧に変更する第３電流経路と、
前記第２電極から前記インダクタを経て前記電源線に連結されて、前記第１電極の電圧が前記第２電圧に維持されている間に前記パネルキャパシターと前記インダクタの間に共振を発生させて前記第２電極の電圧を前記第２電圧に変更する第４電流経路と、
を含むことを特徴とするプラズマディスプレイパネルの駆動装置。
【請求項１１】
前記第１電極の電圧が前記第３電圧に変更された後に前記第１電極は前記第３電圧を供給する電源に電気的に連結され、前記第１電極の電圧が前記第２電圧に変更された後に前記第１電極は前記第２電圧を供給する電源に電気的に連結されることを特徴とする請求項１０に記載のプラズマディスプレイパネルの駆動装置。
【発明の詳細な説明】
【０００１】
【発明の属する技術分野】
本発明はプラズマディスプレイパネルの駆動装置及び駆動方法に関し、特にパネルの有する静電容量の電荷充放電を制御して消費電力を節減するための電力回収回路の改良に関する。
【０００２】
【従来の技術】
プラズマディスプレイパネルは、複数個の放電管をマトリックス形状に配列して、これを時間軸上および平面座標上で選択的に発光させることによって電気信号として入力された画像データを画像に復原させるディスプレイ装置の一種類である。このプラズマディスプレイパネルの駆動方式は、電離放電を維持させるために印加する維持電圧極性が時間によって変化するか否かにより、交流（ＡＣ）駆動方式と直流（ＤＣ）駆動方式に分けられ、本発明は極性変化のあるＡＣ方式に好適である。
【０００３】
ところで、一般的なプラズマディスプレイパネルには３個の電極を有する面放電構造が単位構造として使われている。この単位構造は、電離放電空間を仕切る隔壁と、これに平行に形成された２個のディスプレイ用電極である走査電極および共通電極と、これらに対向して、間隙を保って交差するアドレス電極とを含んでいる。この構造では、電離放電させる画素を選択するための壁電荷生成用放電がアドレス電極と走査電極の間で起こり、その後、画像表示をするための気体電離を伴う維持放電が走査電極と共通電極の間で適宜繰り返され、目で感じる輝度を調節する。この繰り返しは１画面期間に画素当たり１０００回を超えることも有って、パネルの消費電力を左右している。隔壁は空間を仕切って、互いに独立した電離放電空間の群を形成する機能を持ち、また電離放電時に発生する紫外光を遮断して近隣画素の誤動作（ｃｒｏｓｓ　ｔａｌｋ）を防止する役割を果たす。このような単位構造を、基板面にマトリックス状に複数個配列して各単位構造毎に蛍光物質を塗布して一つの画素を構成し、この画素が集まって一つのプラズマディスプレイパネルになる。現在商用化されているプラズマディスプレイパネルでは、各画素内の放電によって発生する紫外線が画素内壁に塗布されている蛍光物質を励起して画像を形成させ、３原色の画素を組み合わせて所望の色を実現する。
【０００４】
このようなＡＣ方式プラズマディスプレイパネルを駆動する場合、駆動回路に反映するパネルの状態、つまり負荷は、静電容量の性質を示す容量性負荷であって、全ての維持パルスごとに蓄積電荷の充放電動作が行われる。この時、電極間電圧が十分高いとパネル上板の共通電極と走査電極が面放電を起こして充填気体が電離発光するが、電離放電が起こる前には必ず容量性負荷であるパネルに変位電流を供給しなければならない。変位電流が供給されてパネルが充電された後に維持放電が起こるためである。現在商用化された製品のうち４２”級の場合、普通２０００余個程度の維持パルスが１６．６７ｍｓの間に印加され、印加される全ての維持パルス毎に、電離放電電流の流れることがなくてもパネル蓄積電荷増減に必要な変位電流を供給しなければならない状況が発生する。変位電流の量は各ピクセルの形態や構成材料によって変わる固有キャパシタンスによって変わり、このキャパシタンスによる無効電力の消費が非常に大きな比重を占める。
【０００５】
したがって、これを解決するための方案として無効電力の消耗を減らす方法が多く研究されてきたが、このような機能を遂行する回路が図５のような電力回収回路である。
【０００６】
図５に示す従来の回路の構成は、スイッチング素子（Ｙ１、Ｙ２、Ｙ３、Ｙ４）、外部キャパシター（Ｃ１）、インダクタ（Ｌ１）及びダイオード（Ｄ１、Ｄ２）からなる走査電極駆動ブロックと、スイッチング素子（Ｘ１、Ｘ２、Ｘ３、Ｘ４）、外部キャパシター（Ｃ２）、インダクタ（Ｌ２）及びダイオード（Ｄ３、Ｄ４）からなる共通電極駆動ブロックとを含んでいる。その動作を見ると、スイッチング素子（Ｘ１）の導通期間中に外部キャパシター（Ｃ２）とインダクタ（Ｌ２）間の直列共振が行われて共振が終了した時点での共通電極（Ｘ）電位は維持電圧（Ｖｓ）まで上昇し、この時にスイッチング素子（Ｘ２）が導通しながら維持放電動作を行う。維持放電パルスの下降時にはスイッチング素子（Ｘ３）が導通しながらパネルキャパシターとインダクタ（Ｌ２）間の直列共振が起こり外部のキャパシター（Ｃ２）を再充電し、共振が終了した時点での共通電極（Ｘ）電位は接地電圧と同一になり、この時スイッチング素子（Ｘ４）を導通させて接地電位を維持する。
【０００７】
前記のタイミングは理想的な状況を説明したものであり、実際の設計時にはドライブＩＣの遅れを考慮してタイミング設計をしなければならない。電力回収動作はＸ、Ｙそれぞれの維持放電パルス毎に行われてパネルの電力消耗を最少化する。
【０００８】
このような従来の電力回収回路はＸ及びＹ電極ごとに別個の回路を使用するために、走査線の本数に比例して、使用するキャパシターとインダクタの個数が増加し、また、各回路の効率的な動作に問題を生じる。
【０００９】
【発明が解決しようとする課題】
本発明はプラズマディスプレイパネルで用いられる無効電力の消耗を減らすことを技術的課題とする。また、本発明は走査電極と共通電極で別個に使用される回路を一つに統合して、プラズマディスプレイパネルの駆動装置の製造工程を簡単にし、キャパシターとインダクタの個数を減らし電力回収を効率的にすることを技術的課題とする。
【００１０】
【課題を解決するための手段】
本発明の一つの特徴によると、互いに対をなして配列された複数の走査電極と共通電極を含み、前記走査電極と前記共通電極の間にパネルキャパシターが形成されるプラズマディスプレイパネルの駆動装置が提供される。
【００１１】
この駆動装置は、第１電圧と第２電圧の間に直列に連結され、接続点が前記パネルキャパシターの一端に連結される第１及び第２スイッチング素子と、前記第１電圧と前記第２電圧の間に直列に連結され、接続点が前記パネルキャパシターの他端に連結される第３及び第４スイッチング素子を含み、前記パネルキャパシターの一端及び他端の電圧を前記第１電圧または前記第２電圧に維持する維持放電部と、前記第１及び第２スイッチング素子の接続点と前記第３及び第４スイッチング素子の接続点に各々第１及び第２経路を通じて連結されるインダクタと、前記インダクタの他端と前記第２電圧の間に第３及び第４経路を通じて連結される外部キャパシターを含み、前記パネルキャパシターの一端及び他端の電圧を前記第１電圧まで充電したり前記第２電圧まで放電する充放電部とを含む。
【００１２】
また、この駆動装置は前記第１及び第２経路を通じて前記パネルキャパシターと前記インダクタの間に各々連結されて前記パネルキャパシターに流れる電流の経路を前記第１または第２経路の中で選択する第５及び第６スイッチング素子をさらに含むことができる。
【００１３】
また、この駆動装置は前記第３経路に存在して前記パネルキャパシターに供給される電流経路を設定する第７スイッチング素子と第１ダイオード、そして前記第４経路に存在して前記パネルキャパシターから回収される電流経路を設定する第８スイッチング素子と第２ダイオードをさらに含むことができる。
【００１４】
本発明の他の特徴によれば、両端に第１及び第２電圧が交互に印加されるパネルキャパシター、前記第１電圧と前記第２電圧の半分に相当する電圧が両端の間に印加される外部キャパシター、そして前記外部キャパシターに電気的に連結されたインダクタを有するプラズマディスプレイパネルを駆動する方法が提供される。
【００１５】
この駆動方法は、前記インダクタが前記パネルキャパシターの一端に第１経路を通じて電気的に連結されて発生する共振を利用して前記パネルキャパシターの一端の電圧を前記第１電圧まで充電させる第１段階と、前記インダクタが前記パネルキャパシターの一端に前記第１経路を通じて電気的に連結されて発生する共振を利用して前記パネルキャパシターの一端の電圧を前記第２電圧まで放電させる第２段階と、前記インダクタが前記パネルキャパシターの他端に第２経路を通じて電気的に連結されて発生する共振を利用して前記パネルキャパシターの他端の電圧を前記第１電圧まで充電させる第３段階と、前記インダクタが前記パネルキャパシターの他端に前記第２経路を通じて電気的に連結されて発生する共振を利用して前記パネルキャパシター他端の電圧を前記第２電圧まで放電させる第４段階とを含む。
【００１６】
この時、前記第１及び第３段階は、前記第１電圧と前記第２電圧の間に直列に連結され、接続点が前記パネルキャパシターの一端に連結される第１及び第２スイッチング素子と、前記第１電圧と前記第２電圧の間に直列に連結され、接続点が前記パネルキャパシターの他端に連結される第３及び第４スイッチング素子を使用して、前記パネルキャパシターの一端または他端の電圧を前記第１電圧に維持する段階をさらに含むことができる。
【００１７】
また、この駆動方法は、前記第１及び第２経路上に各々連結される第５及び第６スイッチング素子を使用して、前記パネルキャパシターに流れる電流の経路を前記第１及び第２経路の中で選択することができる。
【００１８】
本発明の他の特徴によると、第１電極、第２電極、そして前記第１及び第２電極の間に形成されたパネルキャパシターを含むプラズマディスプレイパネルを駆動する装置が提供される。
【００１９】
この駆動装置は、インダクタと、第１電圧を供給する電源線から前記インダクタを経て前記第１電極に連結されて、前記第２電極の電圧が第２電圧に維持されている間に前記パネルキャパシターと前記インダクタの間に共振を発生させて前記第１電極の電圧を第３電圧に変更する第１電流経路と、前記第１電極から前記インダクタを経て前記電源線に連結されて、前記第２電極の電圧が前記第２電圧に維持されている間に前記パネルキャパシターと前記インダクタの間に共振を発生させて前記第１電極の電圧を前記第２電圧に変更する第２電流経路と、前記電源線から前記インダクタを経て前記第２電極に連結されて、前記第１電極の電圧が前記第２電圧に維持されている間に前記パネルキャパシターと前記インダクタの間に共振を発生させて前記第２電極の電圧を前記第３電圧に変更する第３電流経路と、前記第２電極から前記インダクタを経て前記電源線に連結されて、前記第１電極の電圧が前記第２電圧に維持されている間に前記パネルキャパシターと前記インダクタの間に共振を発生させて前記第２電極の電圧を前記第２電圧に変更する第４電流経路とを含む。
【００２０】
【発明の実施の形態】
以下、添付した図面を参照して本発明の実施の形態について本発明の属する技術分野における通常の知識を有する者が容易に実施できるように詳細に説明する。しかし、本発明は多様な相異なる形態に実現することができ、ここで説明する実施の形態に限定されない。
【００２１】
次に、本発明の実施の形態によるプラズマディスプレイパネルの駆動装置及び駆動方法について図面を参照して詳細に説明する。
【００２２】
図１は本発明に実施の形態によるプラズマディスプレイパネルを示す図面である。
【００２３】
図１に示したように、本発明に実施の形態によるプラズマディスプレイパネルはプラズマパネル１００、アドレス駆動部２００、走査・維持駆動部３００及び制御部４００を含む。
【００２４】
プラズマパネル１００は、図中の縦方向に長く配列されている複数のアドレス電極（Ａ１〜Ａｍ）、横方向に長く配置されてジグザグに配列されている複数の走査電極（Ｙ１〜Ｙｎ）及び複数の共通電極（Ｘ１〜Ｘｎ）を含む。この走査電極（Ｙ１〜Ｙｎ）及び共通電極（Ｘ１〜Ｘｎ）は１本づつ隣り合って対になっている。
【００２５】
アドレス駆動部２００は制御部４００からアドレス駆動制御信号を受信して表示しようとする放電セルを選択するためのアドレス電圧（Ｖａ）を各アドレス電極に印加する。
【００２６】
走査・維持駆動部３００は制御部４００から維持放電信号を受信して走査電極と共通電極に維持放電電圧を交互に入力することにより選択された放電セルに対して維持放電を行う。このような走査・維持駆動部３００は無効電力を回収して再び使用する回路である電力回収回路（図２）を含む。
【００２７】
制御部４００は外部から映像信号を受信してアドレス駆動制御信号と維持放電信号を生成し各々アドレス駆動部２００と走査・維持駆動部３００に印加する。
【００２８】
以下、図２及び図３を参照して本発明の第１実施の形態による電力回収回路とその駆動方法について説明する。
【００２９】
図２は本発明の実施の形態による電力回収回路を示す図面であり、図３は本発明の第１実施の形態による電力回収回路の動作タイミングを示す図面である。
【００３０】
図２に示したように、本発明の第１実施の形態による電力回収回路はＹ及びＸ電極維持放電部３２２、３２４及び充放電部３２６を含む。
【００３１】
Ｙ電極維持放電部３２２はスイッチング素子（Ｙ１、Ｙ２）を含み、スイッチング素子（Ｙ１、Ｙ２）は維持放電電圧（Ｖｓ）を供給する電源と接地端子の間に直列に連結され、その接続点がパネルキャパシター（Ｃｐ）のＹ電極に連結されている。
【００３２】
Ｘ電極維持放電部３２４はスイッチング素子（Ｘ１、Ｘ２）を含み、スイッチング素子（Ｘ１、Ｘ２）は維持放電電圧（Ｖｓ）を供給する電源と接地端子の間に直列に連結され、その接続点がパネルキャパシター（Ｃｐ）のＸ電極に連結されている。
【００３３】
充放電部３２６はインダクタ（Ｌ１）と外部キャパシター（Ｃ１）が核心素子となる。パネルキャパシターの両端に各々スイッチング素子（Ｘ＿ｐａｔｈ）とスイッチング素子（Ｙ＿ｐａｔｈ）が連結される。このスイッチング素子（Ｙ＿ｐａｔｈ）とスイッチング素子（Ｘ＿ｐａｔｈ）の接続点にインダクタ（Ｌ１）の一端が連結され、外部キャパシター（Ｃ１）の一端はインダクタ（Ｌ１）の他端と連結されるが、外部キャパシター（Ｃ１）とインダクタ（Ｌ１）の間にはスイッチング素子（ＸＹ１）とダイオード（Ｄ１）が直列に連結され、この２素子直列回路と並列にスイッチング素子（ＸＹ２）とダイオード（Ｄ２）の直列回路が連結される。外部キャパシター（Ｃ１）の他端は接地端子に連結される。なお、図２に示された各スイッチング素子はｎ−ｃｈ　ＭＯＳＦＥＴであり、ボディーとソースを接続している。したがって、維持放電電圧（Ｖｓ）を供給する電源は接地端子に対して正電位であることが望ましい。
【００３４】
以下、図３を参照して本発明の第１実施の形態による電力回収回路の時系列的動作変化を説明する。ここで、変化は８個のモード（Ｍ１−Ｍ８）で一巡し、全ての変化はスイッチング素子の操作によって生じる。そして、以下にＬＣ共振と称している現象は連続的発振ではなく、スイッチング素子の導通時に生じるインダクタとパネルキャパシターの組み合わせによる電圧及び電流の過渡的変化現象である。
【００３５】
本発明の第１実施の形態では外部キャパシター（Ｃ１）には維持放電電圧（Ｖｓ）を供給する電源電圧（Ｖｓ）の半分に相当する電圧（Ｖｓ／２）が充電されているものと仮定する。そして、スイッチング素子（Ｘ２、Ｙ２）が導通されてパネルキャパシター（Ｃｐ）のＸ及びＹ電極電圧（Ｖｘ、Ｖｙ）が共に接地電圧を維持している状態であると仮定する。
【００３６】
モード１（Ｍ１）ではスイッチング素子（Ｙ２）が既に導通した状態でスイッチング素子（ＸＹ１、Ｘ＿ｐａｔｈ）が導通し、スイッチング素子（Ｘ２）は遮断される。その後、外部キャパシター（Ｃ１）、スイッチング素子（ＸＹ１）、インダクタ（Ｌ１）、スイッチング素子（Ｘ＿ｐａｔｈ）及びパネルキャパシター（Ｃｐ）に設定される経路でＬＣ共振が発生する。このＬＣ共振によってＸ電極電圧（Ｖｘ）は電源電圧（Ｖｓ）まで増加する。Ｘ電極電圧（Ｖｘ）はスイッチング素子（Ｘ１）のボディーダイオードによって電源電圧（Ｖｓ）を高くなることはできない。そして、この状態ではスイッチング素子（Ｙ２）が導通されているのでＹ電極電圧（Ｖｙ）は接地電圧を維持する。
【００３７】
次に、モード２（Ｍ２）ではＸ電極電圧（Ｖｘ）が電源電圧（Ｖｓ）に到達した時、スイッチング素子（ＸＹ１、Ｘ＿ｐａｔｈ）は遮断され、スイッチング素子（Ｘ１）が導通してＸ電極電圧（Ｖｘ）が電源電圧（Ｖｓ）に維持される。一方、スイッチング素子（Ｙ２）は継続して導通した状態にあるのでＹ電極電圧（Ｖｙ）は接地電圧を維持している。
【００３８】
モード３（Ｍ３）ではスイッチング素子（Ｘ１）が遮断され、スイッチング素子（ＸＹ２、Ｘ＿ｐａｔｈ）が導通する。その後、パネルキャパシター（Ｃｐ）、スイッチング素子（Ｘ＿ｐａｔｈ）、インダクタ（Ｌ１）、スイッチング素子（ＸＹ２）、外部キャパシター（Ｃ１）に設定される経路でＬＣ共振が発生する。ＬＣ共振によってＸ電極電圧（Ｖｘ）が接地電圧まで減少する。この時、スイッチング素子（Ｘ２）のボディーダイオードによってＸ電極電圧（Ｖｘ）が接地電圧以下には下がらない。一方、スイッチング素子（Ｙ２）は継続して導通された状態にあるのでＹ電極電圧（Ｖｙ）は接地電圧を維持している。
【００３９】
モード４（Ｍ４）ではＸ電極電圧（Ｖｘ）が接地電圧に到達した時、スイッチング素子（ＸＹ２、Ｘ＿ｐａｔｈ）が遮断され、スイッチング素子（Ｘ２）が導通して、Ｘ電極電圧（Ｖｘ）は接地電圧を維持する。一方、Ｙ電極電圧（Ｖｙ）はスイッチング素子（Ｙ２）が継続して導通しているので接地電圧を維持している。
【００４０】
モード５（Ｍ５）ではスイッチング素子（ＸＹ１、Ｙ＿ｐａｔｈ）が導通し、スイッチング素子（Ｙ２）が遮断される。その後、外部キャパシター（Ｃ１）、スイッチング素子（ＸＹ１）、インダクタ（Ｌ１）、スイッチング素子（Ｙ＿ｐａｔｈ）、パネルキャパシター（Ｃｐ）に設定される経路でＬＣ共振が発生する。ＬＣ共振によってＹ電極電圧（Ｖｙ）が電源電圧（Ｖｓ）まで増加する。この時、Ｙ電極電圧（Ｖｙ）はスイッチング素子（Ｙ１）のボディーダイオードによって電源電圧（Ｖｓ）を越えることができない。そして、この状態ではスイッチング素子（Ｘ２）が導通した状態にあるのでＸ電極電圧（Ｖｘ）は接地電圧を維持している。
【００４１】
モード６（Ｍ６）ではＹ電極電圧（Ｖｙ）が電源電圧（Ｖｓ）に到達した時、スイッチング素子（ＸＹ１、Ｙ＿ｐａｔｈ）は遮断され、スイッチング素子（Ｙ１）が導通してＹ電極電圧（Ｖｙ）が電源電圧（Ｖｓ）に維持される。一方、スイッチング素子（Ｘ２）は継続して導通した状態にあるのでＸ電極電圧（Ｖｘ）は接地電圧を維持している。
【００４２】
モード７（Ｍ７）ではスイッチング素子（Ｙ１）が遮断され、スイッチング素子（ＸＹ２、Ｙ＿ｐａｔｈ）を導通させる。その後、パネルキャパシター（Ｃｐ）、スイッチング素子（Ｙ＿ｐａｔｈ）、インダクタ（Ｌ１）、スイッチング素子（ＸＹ２）、外部キャパシター（Ｃ１）に設定される経路で発生する共振によってＹ電極電圧（Ｖｙ）が接地電圧まで減少する。この時、スイッチング素子（Ｙ２）のボディーダイオードによってＹ電極電圧（Ｖｙ）が接地電圧以下には下がらない。一方、スイッチング素子（Ｘ２）は継続して導通した状態にあるのでＸ電極電圧（Ｖｘ）は接地電圧を維持している。
【００４３】
その後、モード８（Ｍ８）ではＹ電極電圧（Ｖｙ）が接地電圧に到達した時、スイッチング素子（ＸＹ２、Ｙ＿ｐａｔｈ）が遮断され、スイッチング素子（Ｙ２）が導通して、Ｙ電極電圧（Ｖｙ）は接地電圧を維持する。一方、Ｘ電極電圧（Ｖｘ）はスイッチング素子（Ｘ２）が継続して導通しているので接地電圧を維持している。
【００４４】
以下、図４を参照して本発明の第２実施の形態による電力回収回路の駆動方法について説明する。
【００４５】
図４は本発明の第２実施の形態による電力回収回路の動作タイミングを示す図面である。
【００４６】
モード１（Ｎ１）、モード２（Ｎ２）は各々第１実施の形態のモード１（Ｍ１）、モード２（Ｍ２）のような方式で動作する。
【００４７】
しかし、Ｘ電極電圧（Ｖｘ）を接地電圧まで下降させる区間であるモード３（Ｎ３）ではスイッチング素子（ＸＹ２）だけが導通される。そうすると、パネルキャパシター（Ｃｐ）、スイッチング素子（Ｘ＿ｐａｔｈ）のボディーダイオード、インダクタ（Ｌ１）、スイッチング素子（ＸＹ２）、外部キャパシター（Ｃ１）に設定される経路で発生する共振によってＸ電極電圧（Ｖｘ）が接地電圧まで減少する。スイッチング素子（Ｘ２）のボディーダイオードによってＸ電極電圧（Ｖｘ）は接地電圧以下には下がらない。一方、スイッチング素子（Ｙ２）は導通した状態にあってＹ電極電圧（Ｖｙ）は接地電圧を維持している。
【００４８】
このようにスイッチング素子（Ｘ＿ｐａｔｈ）が導通されずにスイッチング素子（Ｘ＿ｐａｔｈ）のスイッチング周波数が高まることによって生じる発熱を減らすことができる。
【００４９】
モード４（Ｎ４）、モード５（Ｎ５）、モード６（Ｎ６）は各々第１実施の形態のモード４（Ｍ４）、モード５（Ｍ５）、モード６（Ｍ６）と同じ方式で動作する。
【００５０】
しかし、Ｙ電極電圧（Ｖｙ）を接地電圧まで下降させる区間であるモード７（Ｎ７）でスイッチング素子（ＸＹ２）だけが導通される。そうすると、パネルキャパシター（Ｃｐ）、スイッチング素子（Ｙ＿ｐａｔｈ）のボディーダイオード、インダクタ（Ｌ１）、スイッチング素子（ＸＹ２）、外部キャパシター（Ｃ１）に設定される経路で発生する共振によってＹ電極電圧（Ｖｙ）が接地電圧まで減少する。スイッチング素子（Ｙ２）のボディーダイオードによってＹ電極電圧（Ｖｙ）は接地電圧以下には下がらない。一方、スイッチング素子（Ｘ２）は導通した状態にあってＸ電極電圧（Ｖｘ）は接地電圧を維持している。
【００５１】
このようにスイッチング素子（Ｙ＿ｐａｔｈ）が導通されずにスイッチング素子（Ｙ＿ｐａｔｈ）のスイッチング周波数が高まることによって生じ得る発熱を減らすことができる。
【００５２】
【発明の効果】
以上説明したように、プラズマディスプレイパネルにおいて、特に走査電極駆動回路と共通電極駆動回路を一つのボードに統合してプラズマディスプレイパネルの製造工程を簡単にすることができ、キャパシターとインダクタの個数も減らすことができる。また、図２の回路図から分かるように、電力回収経路上にある共通電極経路スイッチング素子（Ｘ＿Ｐａｔｈ）と走査電極経路スイッチング素子（Ｙ＿Ｐａｔｈ）をよく活用すれば、設計時のスイッチング素子の耐圧低減設計が可能になり、値段が減少する効果もある。
【図面の簡単な説明】
【図１】本発明の実施の形態によるプラズマディスプレイパネルを示す図面である。
【図２】本発明の実施の形態によるプラズマディスプレイパネルの駆動回路を示す図面である。
【図３】本発明の第１実施の形態による動作タイミングを示す図面である。
【図４】本発明の第２実施の形態による動作タイミングを示す図面である。
【図５】従来のプラズマディスプレイパネルの電力回収回路を示す図面である。
【符号の説明】
１００　プラズマパネル
２００　アドレス駆動部
３００　走査・維持駆動部
３２２　Ｙ電極維持放電部
３２４　Ｘ電極維持放電部
３２６　充放電部
４００　制御部
Ａ１〜Ａｍ　アドレス電極
Ｃ１　外部キャパシター
Ｃｐ　パネルキャパシター
Ｄ１、Ｄ２　ダイオード
Ｌ１　インダクター
Ｙ１〜Ｙｎ　走査電極
Ｘ１〜Ｘｎ　共通電極
Ｖａ　アドレス電圧
Ｖｓ　維持放電電圧
Ｖｘ　Ｘ電極電圧
Ｘ＿ｐａｔｈ、Ｙ＿ｐａｔｈ　スイッチング素子
【図１】
2004021261.tif 000003
【図２】
2004021261.tif 000004
【図３】
2004021261.tif 000005
【図４】
2004021261.tif 000006
【図５】
2004021261.tif 000007